(57)【要約】【課題】本発明のエアコンルーバーに対する物品取付具は、エアコンルーバーに対してガタツキを発生させず、上下方向の厚みが薄いエアコンルーバーでも十分な保持力で挟持できるとともに、その取付具を上下方向の厚みが厚いエアコンルーバーに装着した場合でも、その着脱に要する力の上昇が少ない物品取付具を得ることを課題とする。【構成】物品と接続される基部と、前記基部から延在して形成された挟持部と、からなる物品取付具であり、前記挟持部は一対の挟持片を有し、前記一対の挟持片は離間して形成された対向面の少なくとも一方の面には前後幅よりも高さ方向の寸法が長い複数の突起が形成される。【選択図】図１
2014172533.tif 000002
【特許請求の範囲】
【請求項１】
自動車のエアコン吹き出し口の前に物品を配置可能に構成された物品取付具であり、
物品と接続される基部と、前記基部から延在して形成された挟持部からなり、前記一対の挟持片は離間して形成された対向面を有し、前記対向面の少なくとも一方の面には前後幅よりも高さ方向の寸法が長い複数の突起が形成されることを特徴とするエアコン吹き出し口のルーバーに対する物品取付具。
【請求項２】
前記一対の挟持片の対向面の両面に複数の突起が形成されることを特徴とする請求項１記載のエアコン吹き出し口のルーバーに対する物品取付具。
【請求項３】
前記対向面の両面に形成された突起の先端間の隙間の最小寸法が1．５ｍｍ以下に形成されることを特徴とする請求項２記載のエアコン吹き出し口のルーバーに対する物品取付具。
【請求項４】
前記突起が幅方向に連続したリブ状に形成されることを特徴とする請求項１〜３の何れか１項記載のエアコン吹き出し口のルーバーに対する物品取付具。
【請求項５】
前記突起が基部方向に傾斜して形成されることを特徴とする請求項１〜４の何れか１項記載のエアコン吹き出し口のルーバーに対する物品取付具。
【請求項６】
前記一対の挟持片の一方の先端部にエアコンルーバーを把持可能なフック部が形成されることを特徴とする請求項１〜５の何れか１項記載のエアコン吹き出し口のルーバーに対する物品取付具。
【請求項７】
前記物品取付具の基部が、少なくとも物品の一部と一体に構成されることを特徴とする請求項１〜６の何れか１項記載のエアコン吹き出し口のルーバーに対する物品取付具。
【請求項８】
前記物品取付具の基部が、物品に対して着脱可能に構成されることを特徴とする請求項１〜７の何れか１項記載のエアコン吹き出し口のルーバーに対する物品取付具。
【発明の詳細な説明】
【技術分野】
【０００１】
本発明は、芳香剤容器などの物品を、自動車のエアコン吹き出し口も前面に配置するための、エアコンルーバー部分に対する取付具に関する。
【背景技術】
【０００２】
従来の自動車のエアコンルーバー１１０に対する物品取付具として、特開平８−９１１０８号公報では、図１５に示す様に、ホルダー本体１２０に連結可能な棒状の取付基部１２２から互いに離間して対向するように延びる一方の辺１２３及び他方の薄肉辺１２４と、前記一方の辺１２３の遊端に形成したフック部１２５と、前記一方の辺１２３のフック部１２５と前記他方の薄肉辺１２４の先端間に形成したエアコン吹き出し口のルーバー挿入口１２６とより成るエアコンルーバーに対する物品取付具が開示されている。
【０００３】
また、他の従来の自動車のエアコンルーバーに対する物品取付具として、特開平９−８６２５７号公報では、図１６に示す様に、ホルダー本体１２０に連結可能な棒状の取付基部１２２から互いに離間して延びる一方の辺１２３及び他方の薄肉辺１２４と、前記一方の辺１２３の遊端に形成したフック部１２５と、前記一方の辺１２３のフック部１２５と前記他方の薄肉辺１２４の先端間に形成したエアコン吹き出し口のルーバー挿入口１２６と、前記一方の辺１２３と他方の薄肉辺１２４を取り囲み、これらに沿って前記フック部１２５に離接する方向に移動可能な前記一方の辺１２３に対する他方の薄肉辺１２４の離間防止リング１２７とより成るエアコンルーバーに対する物品取付具が開示されている。
【０００４】
また、他の従来の自動車のエアコンルーバーに対する物品取付具として、特表２００７−５２６７７８号公報では、図1７に示す様に、芳香ユニットを形成する放射性物質の蒸発器１３０に連結可能な取付基部１３１から互いに離間して延びる一方の辺及び他方の辺からなる保持部１３２によって構成されるエアコンルーバーに対する物品取付具が開示されている。
【０００５】
しかしながら、特開平８−９１１０８号公報に開示されるエアコンルーバーに対する物品取付具は、フック部１２５を有するためエアコンルーバー１１０に装着したあと、引っ張っても容易に外れないメリットがあるので飲料容器保持具などの重量物に使用に適するが、汎用性を持たせるために内部空間の前後長が長く形成されているために使用時に特に前後方向のガタツキが発生する点と、エアコンルーバー１１０から取り外す際の操作に知識が必要な点で、欠点を有する。
【０００６】
また、特開平９−８６２５７号公報に開示されるエアコンルーバーに対する物品取付具は、前記フック部１２５に離接する方向に移動可能な前記一方の辺１２３に対する他方の薄肉辺１２４の離間防止リング１２７を用いることによって、前記特開平8-91108の欠点を解消し、汎用性を持たせながらガタツキを解消することができるが、構造が複雑になりコストが高くなる点と、形状が大きくなる欠点を有する。
【０００７】
また、特表２００７−５２６７７８号公報に開示されるエアコンルーバーに対する物品取付具は、蒸発器１３０に連結可能な取付基部１３１から互いに離間して延びる一方の辺及び他方の辺からなる保持部１３２が可撓性を有し、その内面に形成された対向する複数の凸部１３３がエアコンルーバー１１０を挟持する構成であるため、エアコンルーバー１１０に対してガタツキを発生させずに取付できる効果を有するが、エアコンルーバー１１０は車種毎にサイズ、形状が様々であるため、上下方向の厚みが薄いエアコンルーバー１１０でも十分な保持力で挟持できるように設計した場合に、その取付具を上下方向の厚みが厚いエアコンルーバー１１０に装着する場合、その着脱に大きな力が必要になり作業性が悪くなる欠点があり、更に厚みが著しく厚いエアコンルーバー１１０に対して着脱操作を行なった場合にはエアコンルーバー１１０を破損する危険があった。
【先行技術文献】
【特許文献】
【０００８】
【特許文献１】特開平８−９１１０８号公報
【特許文献２】特開平９−８６２５７号公報
【特許文献３】特表２００７−５２６７７８号公報
【発明の概要】
【発明が解決しようとする課題】
【０００９】
本発明の自動車のエアコンルーバーに対する物品取付具は、エアコンルーバーに対してガタツキを発生させずに取付でき、上下方向の厚みが薄いエアコンルーバーでも十分な保持力で挟持できるとともに、その取付具を上下方向の厚みが厚いエアコンルーバーに装着した場合でも、その着脱に要する力の上昇が少ないエアコンルーバーに対する物品取付具を得ることを課題とする。
【課題を解決するための手段】
【００１０】
本発明の自動車のエアコンルーバーに対する物品取付具は、自動車のエアコン吹き出し口の前に物品を配置可能に構成された物品取付具であり、物品と接続される基部と、前記基部から延在して形成された挟持部からなり、前記一対の挟持片は離間して形成された対向面を有し、前記対向面の少なくとも一方の面には前後幅よりも高さ方向の寸法が長い複数の突起が形成されることを特徴とする。
【００１１】
更に、前記一対の挟持片の対向面の両面に複数の突起が形成されると良い。
【００１２】
更に、前記対向面の両面に形成された突起の先端間の隙間の最小寸法が1．５ｍｍ以下に形成されると良い。
【００１３】
更に、前記突起が幅方向に連続したリブ状に形成されると良い。
【００１４】
更に、前記突起が基部方向に傾斜して形成されると良い。
【００１５】
また、前記一対の挟持片の一方の先端部にエアコンルーバーを把持可能なフック部が形成しても良い。
【００１６】
更に、前記挟持部の基部が、少なくとも物品の一部と一体に構成すると良い。
【００１７】
また、前記挟持部の基部が、物品に対して着脱可能に構成しても良い。
【発明の効果】
【００１８】
本発明のエアコンルーバーに対する物品取付具は、物品と接続される基部と、前記基部から延在して形成された挟持部と、からなる物品取付具であり、前記挟持部は一対の挟持片を有し、前記一対の挟持片は離間して形成された対向面の少なくとも一方の面には複数の突起が形成され、前記突起は前後幅よりも高さ方向の寸法が長く形成されるように構成されるため、エアコンルーバーに対してガタツキを発生させずに取付でき、上下方向の厚みが薄いエアコンルーバーでも十分な保持力で挟持できるとともに、その取付具を上下方向の厚みが厚いエアコンルーバーに装着した場合でも、その着脱に要する力の上昇が少なくできる効果を有する。
【００１９】
更に、前記突起を基部方向に傾斜して形成した場合は取付具をエアコンルーバーに装着する際に必要となる力よりも、取付具がエアコンルーバーから離脱する際に必要となる力を大きくすることができるため、装着時には作業性が良く、容易に外れにくい物品取付具を得ることができる。
【図面の簡単な説明】
【００２０】
【図１】本発明の第１実施例におけるエアコンルーバーへの取付状態を示す断面図である。
【図２】本発明の第１実施例の斜視図である。
【図３】本発明の第１実施例の変形例を示す断面図である。
【図４】本発明の第１実施例の変形例を示す斜視図である。
【図５】本発明の第２実施例を示す断面図である。
【図６】本発明の第２実施例におけるエアコンルーバーへの取付方法を示す斜視図である。
【図７】本発明の第２実施例におけるエアコンルーバーへの物品取付具の取付状態を示す斜視図である。
【図８】本発明の第２実施例におけるエアコンルーバーへの取付状態を示す斜視図である。
【図９】本発明の第３実施例を示す断面図である。
【図１０】本発明の第３実施例の展開状態を示す断面図である。
【図１１】本発明の第４実施例を示す断面図である。
【図１２】本発明の第４実施例の変形例を示す断面図である。
【図１３】本発明の第５実施例を示す断面図である。
【図１４】本発明の第５実施例の変形例を示す断面図である。
【図１５】従来技術を示す側面図である。
【図１６】他の従来技術を示す側面図である。
【図１７】他の従来技術を示す断面図である。
【発明を実施するための形態】
【００２１】
実施例１
【００２２】
本発明の第１実施例におけるエアコンルーバーに対する物品取付具は、図１、図２に示すように、蒸気透過膜を備える揮発性芳香剤容器５１と、前記揮発性芳香剤容器５１の正面（自動車の乗員と対向する面）を保持する前ケース５２と、前記揮発性芳香剤容器５１の裏面（自動車のエアコン吹き出し口と対向する面）を保持する後ケース５３と、前記前ケース５２と後ケース５３の係合手段５４により物品５０が構成され、前記のような物品５０を自動車のエアコン吹き出し口１００と近接して配置するために物品取付具１を使用し、前記物品取付具１は基部２と、前記基部２から延在して形成され、エアコン吹き出し口のルーバー１１０を挟持する挟持部３からなり、本実施例において前記基部２は前記後ケース５３と一体に構成される。尚、本発明において物品５０は芳香剤に限定されず、既存のエアコンルーバー装着物に利用することができる。
【００２３】
前記挟持部３は可撓性を有する材料で形成され、揮発した芳香成分によって劣化しない様、耐薬品性を有する材料で形成されることが望ましく、本実施例ではポリウレタンエラストマを使用するが、ポリエチレンやポリプロピレンなど、可撓性を有する他の材料を使用して形成しても良い。尚、に図３に示す様に、物品取付具１を複数の材料を組み合わせて形成しても良い。
【００２４】
前記挟持部３は離間して形成された一対の挟持片４を有し、前記一対の挟持片４の対向面には、夫々４本の幅方向（左右方向）に連続したリブ状の突起５が形成され、前記突起５は前後幅よりも高さ方向の寸法が長く形成されることにより、前記挟持部３の一対の挟持片４の間に自動車のエアコン吹き出し口１００に設けられたルーバー１１０を挿入した際に、前記突起５が容易に変形してルーバー１１０を受け入れるよう構成される。尚、前記突起５の厚さは1ｍｍの薄肉片で構成されるが、突起５の本数および厚さ等の諸条件は、各部の寸法条件、材質、物品重量等に応じて適切に設定することができ、更に、図４に示すように突起５を柱状に形成し、幅方向および前後方向に夫々複数の突起５を形成しても良く、更に突起５の横断面形状を実施例以外の形状にしても良い。
【００２５】
更に、本実施例において前記一対の挟持片４の対向面の両面に形成された突起５の先端間の隙間Ｌは1ｍｍになるように形成しているが、自動車のエアコンルーバー１１０は通常１．５ｍｍ〜４ｍｍ程度の厚みを有するため、それらの既存のルーバー全てに適合し、十分挟持力発生させるためには、前記一対の挟持片４の対向面の両面に形成された突起５の先端間の隙間の最小寸法が、最小のルーバー１１０の厚みよりも20％以上狭い1．2ｍｍ以下にすることが望ましい。但し、全てのルーバー１１０の厚みに適合しないのであれば、例えば前記突起５の先端間の隙間の最小寸法を２ｍｍ前後にしても良い。
【００２６】
尚、本実施例では前記挟持部３の一対の挟持片４の間にエアコンルーバー１１０を挿入する際に、前記突起５が容易に変形してルーバー１１０を受け入れ易くなるよう、前記突起５を垂直方向から基部２の方向に向かって３０°傾斜して形成する。この突起５の傾斜によってエアコンルーバー１１０に対する挟持部３の取り外し方向の抵抗力が増大するため、物品５０の使用中の自動車の振動や揺れによってエアコンルーバー１１０から前記物品取付具１が外れてしまうことを防止する効果が高まる。尚、前記突起５の基部２の方向への傾斜は0°から４５°の範囲で設定することが望ましい。
実施例２
【００２７】
本発明の第２実施例におけるエアコンルーバーに対する物品取付具は、図５〜図８に示すように、実施例１の物品取付具１の基部２に括れ部７を設け、物品５０の裏面に前記物品取付具１の括れ部７の寸法に適合した溝部５５を形成することにより、物品５０に対して物品取付具１を着脱可能に構成したものである。
実施例３
【００２８】
本発明の第３実施例におけるエアコンルーバーに対する物品取付具は、図９、図１０に示すように、実施例２の物品取付具１の前記挟持部３における一対の挟持片４を夫々分離可能に構成したものであり、2つに分離された物品取付部材１の基部２の分離面外端部に夫々の取付部材１のヒンジ結合部８を設けることにより、物品取付具１同士の組み立が容易になる。尚、本実施例において前記ヒンジ結合部８は無くても良い。（図示せず）
実施例４
【００２９】
本発明の第４実施例におけるエアコンルーバーに対する物品取付具は、図１１に示すように、実施例２の物品取付具１の挟持部３において一対の挟持片４のうちの一方の挟持片４の対向面にのみ複数の突起５を形成したものである。尚、本構成の取付部材１を実施例１のエアコンルーバー１１０に対する物品取付具１に応用しても良い。エアコンルーバー１１０に装着する際には、突起５を形成した挟持片４を下側にして装着すると、重量による突起５の変形を軽減できる効果を有する。尚、本実施例において図１２に示すように他方の挟持片４の対向面に複数の凹凸面９を形成しても良い。
実施例５
【００３０】
本発明の第５実施例におけるエアコンルーバーに対する物品取付具は、図１３に示すように、実施例３で説明した挟持部３のうち、突起５を形成していない挟持片４の先端部にエアコンルーバー１１０を把持可能なフック部１０を形成したものであり、エアコンルーバー１１０に装着する際には、前記突起５を形成した挟持片４を下側にして装着すると、重量による突起５の変形を軽減できる効果を有し、この構成により物品５０が重量物であってもエアコンルーバー１１０から容易に外れることがなく、前記フック１０を形成していない方の挟持片４に形成された突起５により幅の狭いルーバー１１０に装着してもガタツキが生じない点で、優れた効果を有する。尚、本実施例の構成において、図１４に示すようにフック１０を形成した挟持片４の対向面にも突起５を設けても良く、その場合は上面に大きな湾曲が形成されたルーバー１１０に使用した際に物品取付具１の前後方向の回転動作（揺れ）を軽減する機能が高くなる。
【産業上の利用可能性】
【００３１】
本発明は、芳香剤容器などの物品を、自動車のエアコン吹き出し口も前面に配置するための、エアコンルーバー部分に対する取付具として産業上利用可能である。
【符号の説明】
【００３２】
１：物品取付具、２：基部、３：挟持部、４：挟持片、５：突起、７：括れ部、８：ヒンジ結合部、９：凹凸面，１０：フック部、５０：物品、５１：揮発性芳香剤容器、５２：前ケース、５３：後ケース、５４：係合手段、５５：溝部、１００：エアコン吹き出し口、１１０：ルーバー、１２０：ホルダー本体、１２２：取付基部、１２３：一方の片、１２４：他方の薄肉片、１２５：フック部、１２６：ルーバー挿入口、１２７：離間防止リング、１３０：蒸発器、１３１：取付基部、１３２：保持部、１３３：凸部
【図１】
2014172533.tif 000003
【図２】
2014172533.tif 000004
【図３】
2014172533.tif 000005
【図４】
2014172533.tif 000006
【図５】
2014172533.tif 000007
【図６】
2014172533.tif 000008
【図７】
2014172533.tif 000009
【図８】
2014172533.tif 000010
【図９】
2014172533.tif 000011
【図１０】
2014172533.tif 000012
【図１１】
2014172533.tif 000013
【図１２】
2014172533.tif 000014
【図１３】
2014172533.tif 000015
【図１４】
2014172533.tif 000016
【図１５】
2014172533.tif 000017
【図１６】
2014172533.tif 000018
【図１７】
2014172533.tif 000019